(57)【特許請求の範囲】
【請求項１】
展示商品の前方に設置される広告装置であって、該広告装置は、床板を介してその幅方向左右両端部に形成した左右一対の側壁と、床板上面に略重合し、正面側寄りの左右両端部を上記した左右の側壁間に回動自在に保持させて自由端側を床板上面から正面側に向けて上方に起立可能としたフレームと、該フレームに対し、幅方向左右両端部を回転自在に保持させて表裏反転可能とした表示板とからなる商品広告装置。
【請求項２】
自由端側を床板上面から正面側に向けて上方に起立可能に保持させたフレームが、水平な床板上面から正面側に向けた最大起立角度迄の範囲内において途中複数段階の任意の角度にて固定可能に構成されているところの請求項１に記載の商品広告装置。
【請求項３】
広告装置における床板の上面にはフレームが床板に略重合した際に、表示板との間に隙間を確保できるポケットが形成されているところの請求項１又は請求項２に記載の商品広告装置。
【請求項４】
左右の側壁および／または床板には正面側に向けて延出した補助表示部が取り付けられているところの請求項１〜３のいずれか１に記載の商品広告装置。
【請求項５】
左右の側壁および／または床板に取り付けられたところの、正面側に向けて延出した補助表示部が、広告装置の正面側前方に向けて自由端側が下り傾斜した状態にて取り付けられているところの請求項４に記載の商品広告装置。
【請求項６】
広告装置の後方には商品載置台が一体的に設けられているところの請求項１〜５のいずれか１に記載の商品広告装置。
【請求項７】
商品載置台の上面には、載置台の幅方向に移動可能な仕切体が植立されているところの請求項６に記載の商品広告装置。
【請求項８】
商品載置台の上面には、幅方向に連続する１または相互に並行な複数本のスライド溝が形成され、該スライド溝に沿って商品載置台上を幅方向に移動可能な仕切体が植立されているところの請求項６に記載の商品広告装置。
【請求項９】
載置台の幅方向に移動可能に商品載置台上に植立された仕切体は、その表面側および背面側に表示面が形成されており、その植立中心軸を支点として反転可能に取り付けられているところの請求項７又は請求項８に記載の商品広告装置。
【請求項１０】
商品載置台上に植立された仕切体は、商品載置台上に形成されたスライド溝に沿って商品載置台上を幅方向に移動可能な可動プレート上に、該可動プレートに対して植立中心軸を支点として反転可能に取り付けられているところの請求項７〜９のいずれか１に記載の商品広告装置。
【発明の詳細な説明】
【技術分野】
【０００１】
本発明は、例えば化粧品類や健康食品、あるいは医薬品等を店頭に展示して販売する場合に、展示商品の宣伝やキャッチフレーズ等を表示し、あるいは機能や効能、さらには販売価格やポイント加算の情報などを体裁よく表示し、またバーコード等商品に関する表示を顧客に対して目立たないように付して販売時における会計処理を迅速化し、また効率的な在庫管理をおこなうようにすることを目的とした商品広告装置に関する。
【背景技術】
【０００２】
従来、商品の陳列に用いるショーケースや、あるいは陳列トレー等において、商品の広告や機能説明、あるいはプライスカード等を表示するための表示手段として、見やすいように角度を変えられるようにしたものとしては、例えば特開平１０−１４２号公報に開示されているような、商品陳列室の上部に、下方の商品を映し出す鏡を、上下の支持具により鏡を後ろ下がりの状態に傾斜するべく支持させて取り付けるとともに、上記下側の支持具近傍に左右幅方向に連続するプライスレールを、正面側から見て角度調整可能に設けたショーケースが知られている。
【０００３】
また特開２００４−２９０４１９号公報に開示されているような、商品の陳列棚に設置される商品陳列用トレーの前面側に、横向き状態で回転可能にした筒状の表示部を設けることにより、顧客用の表示スペースを多くとり、しかも販売促進のためのアピール性を向上させるようにした商品陳列用トレーも知られている。
【特許文献１】特開平１０−１４２号公報
【特許文献２】特開２００４−２９０４１９号公報
【発明の開示】
【発明が解決しようとする課題】
【０００４】
しかしながら、特許文献１や特許文献２に開示されたものは、いずれも表示部の角度は変えられるものの、表示部の面積を大きくすると展示商品がその分隠れることになるために表示面積に限界があり、商品についての機能・用途説明や広告、あるいはキャッチフレーズ、価格表示等多岐にわたる十分な情報表示が困難であった。
【課題を解決するための手段】
【０００５】
本発明は上記した従来技術における各種の課題を解決し、例えば化粧品類や健康食品、あるいは医薬品等を店頭に展示して販売する場合において、展示商品の宣伝やキャッチフレーズ等あるいは機能や効能など多くの表示事項を体裁よくまとめ、またバーコード等商品に関する表示を顧客に対して目立たないように付して商品展示の整然性を維持し、また販売時における会計処理を迅速化すること等をも含め、展示商品が表示事項の存在によりあまり隠れることのないように商品との関係で表示バランスをよくし、しかも表示手段が多彩で需要者の注目を集めやすくしたものである。
【０００７】
本発明の具体的な内容は、展示商品の前方に設置される広告装置であって、該広告装置は、床板を介してその幅方向左右両端部に形成した左右一対の側壁と、床板上面に略重合し、正面側寄りの左右両端部を上記した左右の側壁間に回動自在に保持させて自由端側を床板上面から正面側に向けて上方に起立可能としたフレームと、該フレームに対し、幅方向左右両端部を回転自在に保持させて表裏反転可能とした表示板とからなる商品広告装置に関する。
【０００８】
また本発明は、上記した左右の側壁および／または床板には正面側に向けて延出した補助表示部が取り付けられ、あるいは該補助表示部が、広告装置の正面側前方に向けて自由端側が下り傾斜した状態にて取り付けられ、また上記した広告装置における床板の上面に、フレームが床板に略重合した際に、表示板との間に隙間を確保できるポケットが形成されており、また広告装置の後方には商品載置台が一体的に設けられていることを特徴とした各商品広告装置にも関する。
【０００９】
さらに本発明は、上記した商品載置台の上面に、載置台の幅方向に移動可能な仕切体が植立されている商品広告装置に関する。さらに本発明は、上記した仕切体の表面側および背面側に表示面が形成されており、その植立中心軸を支点として反転可能に取り付けられている商品広告装置にも関する。
【発明の効果】
【００１１】
本発明は、床板を介してその幅方向左右両端部に形成した左右一対の側壁と、床板上面に略重合し、正面側寄りの左右両端部を上記した左右の側壁間に回動自在に保持させて自由端側を床板上面から正面側に向けて上方に起立可能としたフレームと、該フレームに対し、幅方向左右両端部を回転自在に保持させて表裏反転可能とした表示板とからなる商品広告装置を基本構成とするものである。
【００１２】
上記によりフレームを床板上面から正面側に向けて上方に任意の高さにまで起立させることができ、これによってフレームに保持させた表示板の広告等の表示高さ位置を変えて顧客に対するアピール効果を向上させることができるばかりでなく、該フレームに保持させた表示板を任意の角度に変更が可能であり、また表示板の両面に表示事項、例えば片面にはキャッチフレーズを、また反対側面には機能説明等を、それぞれ記載した紙片を貼り付け、もしくは透明板により挟み込むなどの貼付手段をもって表示し、これを表示板を反転させることにより適宜切替表示することができるために多種類の表示を使い分けることができる。
【００１３】
また正面側に向けて延出した補助表示部が取り付けられているために、上記した広告装置の表示板による情報表示のみならず、上記した補助表示部にも効能や機能説明その他の多彩な表示をおこなうことができる。さらに上記した広告装置における床板の上面に、フレームが床板に略重合した際に該フレームに保持させた表示板との間に隙間を確保できるポケットが形成されているために、該ポケット内に例えばプライスその他の商品情報、あるいは販売情報を記録するバーコード等、あるいはＪＡＮコードカード、ＰＯＳシステム用のＰＩＮコードカード等、顧客には直接関係のない表示事項を表示した表示物を装入し、フレームの陰になるように隠して見映えをよくすることができるとともに、商品販売時の迅速な清算や在庫管理を可能とする。
【００１４】
また広告装置の後方に商品載置台が一体的に設けられているために、広告装置の広告等情報表示に合わせて、その後方に該当商品を陳列でき、纏まりの良い商品展示販売形態を実現することができる。さらに上記した商品載置台の上面に、載置台の幅方向に移動可能な仕切体が植立されているために、商品載置台上に該仕切体を複数植立させ、あるいは載置台付きの広告装置を幅方向に複数台繋げて設置して用いた場合に、医薬品や化粧品等のカートンを複数の仕切体によって纏まりよく両側から挟むことができるために、体裁もよくまた商品の転倒を防止することができる。
【００１５】
さらに上記した仕切体の表面側および背面側に表示面が形成されているために、フレームに保持された表示板と同様に、仕切体を反転させることにより表面側および背面側に表示された種々の情報表示事項を簡単に切替え使用することができる。
【発明を実施するための最良の形態】
【００１６】
以下において本発明の具体的な内容について図面をもとに説明をすると、図１〜５は本発明の第１実施例である商品広告装置をあらわしている。同図において１は広告装置の全体をあらわし、該広告装置１は、床板２を介してその幅方向左右両端部に形成した左右一対の側壁３・３と、床板２の上面に略重合し、広告装置１の正面側に寄った左右両端部を上記した左右の側壁３・３間に回動自在に保持させてその自由端側を床板上面から正面側に向けて上方に起立可能としたフレーム４と、該フレーム４に対し、幅方向左右両端部を回転自在に保持させて表裏反転可能とした表示板８とから構成されている。
【００１７】
広告装置１は背面側と正面側とに、それぞれ起立脚片６・７を有し、さらに本案実施例においては正面側脚片７を利用して補助表示部１０が形成されている。左右の側壁３・３はこの場合水平な床板２の幅方向左右両端部に樹脂材により一体成形加工して形成されているが、床板２の両端部にねじ止めその他の止着手段をもって別体に取り付けるようにしてもよい。また側壁３・３にはそれぞれボス穴３ａが形成されているとともに、該ボス穴３ａを中心とし、一定の距離を隔てた等距離位置に係止穴５ａ・５ｂ・５ｃ・５ｄが等間隔に形成されている。
【００１８】
フレーム４は、図３にあらわしたように広告装置１の側壁３・３間に位置させるべく横長とした方形の枠体からなり、正面側寄りの左右両端部に、外方に突出させたボス４ａ・４ａを形成し、これを側壁３・３に形成したボス穴３ａ・３ａ内に嵌めこんで左右の側壁３・３間に回動自在に保持させることにより床板２の上面に略重合（図５における最下段の鎖線位置参照）可能であるとともに、その自由端側を床板２の上面から広告装置１の正面側に向けて上方に起立可能（図５における実線位置参照）としている。
【００１９】
さらにフレーム４には、左右両端部の高さ方向における中間部に左右一対の支持穴４ｄ・４ｄが形成されているとともに、前記したボス４ａ・４ａを円心とした直角円板状のスライド板４ｂ・４ｂが設けられており、しかもその先端部には互いに外方に向けて突出させたスライド突起４ｃ・４ｃが形成され、このスライド突起４ｃ・４ｃを、側壁３・３に形成した係止穴５ａ・５ｂ・５ｃ・５ｄにそれぞれスライド板４ｂの弾性により弾発的に係合可能に構成されている。
【００２０】
表示板８は図４にあらわしたように、フレーム４の枠内に余裕をもって嵌まり込む大きさの板状体であって、幅方向における左右両端部中央には、互いに反対方向である外方に向けたボス８ａ・８ａが突設されており、該ボス８ａ・８ａをフレーム４の支持穴４ｄ・４ｄに回転自在に嵌めこんで表裏面反転可能に保持させている。
【００２１】
さらに該表示板８は両側面８ｂおよび８ｃ共に、好ましくは表面に透明な樹脂製のプレートを着脱自在とし、表示板８の表面と透明プレートとの間に印刷された広告材などを挟持させることができるように構成する。なおこの場合の透明プレートは必ずしも必要とするものではなく、表示板８の両面に広告などの印刷媒体を直接に貼り付けるようにしてもよい。
【００２２】
上記した第１実施例の商品広告装置構成において、表示板８の両側面８ｂおよび８ｃに、互いに異なる種類の表示（例えば商品のキャッチフレーズや商標等）を施したうえで、これを単数または複数の展示商品の前方に設置し、フレーム４を左右のボス４ａ・４ａを支点としてその自由端側を床板２の上面から広告装置１の正面側に向けて上方に起立させる。この際フレーム４は両側のスライド突起４ｃ・４ｃを側壁３・３に形成した係止穴５ａ・５ｂ・５ｃ・５ｄに順次弾性的に係合させながらスライドして起立する。
【００２３】
フレーム４の起立は、フレーム４に保持されている表示板８の広告等の表示内容が後方の展示商品との関係で適当と思われる高さ位置において両側のスライド突起４ｃ・４ｃを側壁３・３に形成した係止穴５ｂ〜５ｄのいずれかに係合させた位置で停止させることができる。さらにフレーム４の高さ位置が決まったところで表示板８を、両側のボス８ａ・８ａを支点として顧客から見やすい角度に至るまで回転させる。また日中または夕方などの販売時間帯、あるいは日替わりまたは週替わりにより、表示板８を反転させて反対側面の広告等を表示させることができる。
【００２４】
なお上記の実施例においては、表示板８について、これを側壁３・３に保持させたフレーム４を介して反転可能な構成としたが、表示板８自体の前方側端部両端を側壁３・３に回転自在に直接取り付けすることにより、表示板８自体を床板上面から正面側に向けて上方に任意の高さにまで起立させるようにしてもよい。
【００２５】
また広告装置１における床板２の上面にはフレーム４（表示板８自体を直接に起立させるようにした場合を含む）が床板２に略重合した状態（図１に示す状態）において、表示板８との間に隙間を確保できるポケットＰが形成されている。このためにあらかじめ後方に展示した商品に対応する価格等を表示したバーコードあるいはＪＡＮコードカード、ＰＯＳシステム用のＰＩＮコードカード等の在庫管理情報を記録した記録紙等のシール（図示省略）を、展示商品に対応する前方のポケットＰ内に入れておき、商品販売時に店頭の読み取り器により瞬時に会計処理をおこない、また販売に伴う在庫管理を速やかに実施することができ、またこれらのシールは顧客にとって表示事項が不明であるために見せる必要が無く、商品展示に際して顧客の目には入らないために商品展示の整然性を保つことができる。
【００２６】
また補助表示部１０は、既述したように左右の正面側脚片７・７を利用したものであって、表示板８の正面側前方に向けて自由端側が下り傾斜した状態にて取り付けられている。すなわち、この場合には表示板８の下方に位置し、正面側脚片７・７を斜め下方に延出させ、正面側脚片７・７間に補助表示部１０を形成したものである。補助表示部１０は第１の表示面９とさらにその下方部に第２の表示面１２とを有する。
【００２７】
第１の表示面９は比較的面積が広く、その表面には、差込足片１１ａと摘み片１１ｂとを有する透明な樹脂板１１を、差込足片１１ａを表示面９の下部に形成した差込口（図示省）に差し込んで取り付け自在に構成してあり、図２にあらわしたように透明な樹脂板１１を摘み片１１ｂを持って差込足片１１ａを支点に第１の表示面９から引き起こした状態で該表示面上に広告等の印刷媒体を載せた後に、上記樹脂板１１を表示面９上に重ねて固定して使用する。
【００２８】
また第２の表示面１２は、この場合平坦な表示面に対し、背面が平坦で正面側だけ略半球状に構成した透明な樹脂体を着脱自在にしたもので、上記した第１の表示面９と同様に表示板面上に広告等の印刷媒体を載せた後に、上記した透明な樹脂体を重合させた状態で取り付け固定するようになっている。なお上記の実施例においては補助表示部１０を正面側脚片７・７を介して左右の側壁３・３に取り付けるようにしたが、必ずしもこれに限られるものではなく、床板２の正面側端縁部に取り付け、あるいはこれと前記した正面側脚片７・７の両方に対して固定するようにしてもよい。
【００２９】
また図６は本発明の第２実施例をあらわしている。これは第１実施例にあらわした広告装置１の後方に商品載置台１３が一体的に取り付けられている。この商品載置台１３は幅方向両端部に下方に向けた側壁１４を有し、しかも片側の側壁１４には下方を側壁１４に固定させた掛け止めフック１５・１５が設けられており、該掛け止めフック１５・１５を利用して隣り合う商品載置台１３の側壁１４をこれに係合させることにより、商品載置台１３付きの広告装置１を幅方向に複数台連結させて用いることもできる。
【００３０】
なお図において１６ａ・１６ｂは商品載置台１３の幅方向に向けて並行に形成したスライド溝をあらわしている。なお上記した商品載置台１３の広告装置１に対する取付手段としては、例えば商品載置台１３の前端部に断面が略Ｕ字状となる掛け止めフック１３ｂを形成し、これを広告装置１の背面側の起立脚片６に嵌め込むことにより一体的に取り付けることができる。またこの場合に商品載置台１３の前端部を広告装置１の背面側の起立脚片６に接着剤を介して重ねて合わせ、あるいは単にビス止めにより固定してもよい。
【００３１】
上記の商品載置台１３の上面には、化粧品や医薬品、あるいは健康食品その他の商品を展示することができる。展示する商品は単数でもあるいは複数でもよく、複数である場合には展示性をよくするために商品載置台１３の幅方向に並列して展示するのが好ましい。
【００３２】
なおこの場合に、図示はしていないが商品載置台１３上に、底面に凸条部を突出させた移動プレートを、該凸条部を既述した商品載置台１３上のスライド溝１６ａ・１６ｂに嵌めこむことにより、該商品載置台１３に沿って幅方向に移動可能に取り付けるとともに、上記移動プレート上に商品を載置するようにすると、移動プレートごと載置台１３上を幅方向に向けて容易に移動させることができ、とくに既述したように載置台１３付きの広告装置１を幅方向に複数連結させた場合において、複数の商品を載置した移動プレートを隣接させて接合した別の広告装置１の商品載置台１３にまでそのまま容易に商品の移動をさせることができる。
【００３３】
さらに図７および図８は本発明の第３実施例をあらわしている。これは前記した第２実施例において説明した商品載置台１３の上面に、載置台１３の幅方向に移動可能な仕切体２０が植立されている。仕切体２０は内部中空で太鼓状に形成されており、載置台１３上に形成されたスライド溝１６ａ・１６ｂに沿って載置台１３上を幅方向に移動可能な可動プレート１７上に、該可動プレート１７に対して植立中心軸を支点として反転可能に植立されている。
【００３４】
すなわち可動プレート１７は下面に、載置台１３上に形成された前記スライド溝１６ａ・１６ｂに緩く嵌合可能なスライド突起１７ａ・１７ｂを突設させるとともに、載置台１３の後部に水平方向に突出させたスライドバー１３ａを外側から巻き込むようにして可動プレート１７を載置台１３に保持させるべく形成した保持部１８とを有し、さらに上面には上方に向けて突出させたところの上端部に放射外方に向けて突出させたフランジ１９ａを有する取り付け基部１９が形成されている。
【００３５】
一方、太鼓状をした仕切体２０は、図８の平面図に左側半分だけ断面にてあらわしたように、幅方向に一定の厚みを有するとともに幅側両端面（商品を押える面）２０ｃ・２０ｃが平坦で、しかも表面側および背面側、すなわち載置台１３の正面側に向く両表示面２０ａ・２０ｂが、そのいずれの表示面２０ａ・２０ｂが載置台１３の正面側に向いても同様の形状として認識されるべく、共に外方に膨出させた円弧状に形成されており、しかもその底面２１の中央部には前記した取り付け基部１９の外径に略等しく、フランジ１９ａの外径よりは小径幅の長穴２２が形成されており、該長穴２２を可動プレート１７の取り付け基部１９に回転自在に保持させることにより、仕切体２０を、その植立中心軸線Ｑを中心に反転可能に取り付けてある。
【００３６】
なお、上記した第３実施例においては、載置台１３に対して仕切体２０を可動プレート１７を介して反転可能に取り付けるようにしたが、必ずしもこのような構成に限られるものではなく、上記した取り付け基部１９を載置台１３上に直接に形成し、これに仕切体２０を反転可能に植立させてもよく、また上記した載置台１３に幅方向両端付近にまで達する長穴を形成し、この長穴に底面中央部に上記した取り付け基部１９と同様の取り付け部品を取り付けた仕切体２０の取り付け基部を反転可能かつ載置台１３の幅方向移動可能に取り付けるようにしてもよい。
【図面の簡単な説明】
【００３７】
【図１】本発明の第１実施例である商品広告装置の斜視図。
【図２】図１の商品広告装置において、フレームおよび補助表示部における第１の表示面の透明樹脂板を起立させた状態をあらわした斜視図。
【図３】本発明において用いるフレームの平面図（Ａ）、背面図（Ｂ）、底面図（Ｃ）。
【図４】本発明において用いる表示板の正面図。
【図５】本発明における側壁に対するフレームの取り付け状態をあらわした要部拡大側面図。
【図６】本発明の第２実施例である商品広告装置の斜視図。
【図７】本発明の第３実施例である商品広告装置の、一部を断面であらわした側面図。
【図８】図７の商品広告装置の平面図。
【符号の説明】
【００３８】
１          広告装置
２          床板
３          側壁
３ａ        ボス穴
４          フレーム
４ａ        ボス
４ｂ        スライド板
４ｃ        スライド突起
４ｄ        支持穴
５ａ〜５ｄ  係止穴
６          起立脚片
７          起立脚片
８          表示板
８ａ        ボス
８ｂ        表示板の側面
８ｃ        表示板の側面
９          第１の表示面
１０        補助表示部
１１        透明な樹脂板
１１ａ      板差込足片
１１ｂ      摘み片
１２        第２の表示面
１３        商品載置台
１３ａ      スライドバー
１３ｂ      掛け止めフック
１４        側壁
１５        掛け止めフック
１６ａ      スライド溝
１６ｂ      スライド溝
１７        可動プレート
１７ａ      スライド突起
１７ｂ      スライド突起
１８        保持部
１９        取り付け基部
１９ａ      フランジ
２０        仕切体
２０ａ      表示面
２０ｂ      表示面
２１        底面
２２        長穴
Ｐ          ポケット
Ｑ          植立中心軸線
【図１】
0005274856.tif 000002
【図２】
0005274856.tif 000003
【図３】
0005274856.tif 000004
【図４】
0005274856.tif 000005
【図５】
0005274856.tif 000006
【図６】
0005274856.tif 000007
【図７】
0005274856.tif 000008
【図８】
0005274856.tif 000009